(57)【要約】【課題】簡単な構成で、押圧部材の操作性を向上する。【解決手段】画像読取装置の載置台に載置されたシートを押圧する押圧部材（２１１）は、シート搬送部により回動可能に支持される。押圧部材には、押圧部材とシート搬送部との係合を解除可能な操作具（２２０）が設けられる。操作具は、押圧部材の回動方向においてシート搬送部から遠ざかる第１方向（Ｄ１）に押圧可能な第１の面（２２０ａ）と、第１方向とは反対の第２方向（Ｄ２）に押圧可能な第２の面（２２０ｂ）とを有する。操作具は、第１の面において第１方向の力を受けた場合に押圧部材とシート搬送部との係合を解除する。押圧部材が開いた状態において、操作具が第２の面において第２方向の力を受けることで、押圧部材の第１方向への回動が規制される。【選択図】図７
2020005099.tif 000002
【特許請求の範囲】
【請求項１】
シートが載置される載置台を有する本体と、
シートを搬送するシート搬送部であって、前記本体に支持され、前記本体に対して上方に開くことが可能なシート搬送部と、
前記本体に配置され、前記載置台に載置されたシート又は前記シート搬送部によって搬送されるシートから画像情報を読み取る読取手段と、
前記シート搬送部により回動可能に支持され、前記載置台に載置されたシートを押圧する押圧部材と、
前記押圧部材に設けられ、前記押圧部材と前記シート搬送部との係合を解除可能な操作具と、を備え、
前記操作具は、前記シート搬送部に対する前記押圧部材の回動方向において前記シート搬送部から遠ざかる第１方向に押圧可能な第１の面と、前記第１方向とは反対の第２方向に押圧可能な第２の面とを有し、前記第１の面において前記第１方向の力を受けた場合に前記押圧部材と前記シート搬送部との係合を解除し、前記押圧部材が開いた状態において、前記第２の面において前記第２方向の力を受けることで、前記押圧部材の前記第１方向への回動を規制可能である、
ことを特徴とする画像読取装置。
【請求項２】
前記第２の面は、前記押圧部材の回動軸の軸方向から視た断面において、前記第２方向に凹んだ凹形状の一部であり、
前記第１の面は、前記軸方向から視た断面において、前記凹形状の前記回動軸から遠い側の周縁部に設けられている、
ことを特徴とする請求項１に記載の画像読取装置。
【請求項３】
前記第１の面は、前記シート搬送部が閉じた状態で上方を向いた面であり、
前記第２の面は、前記シート搬送部が閉じた状態で下方を向いた面である、
ことを特徴とする請求項１又は２に記載の画像読取装置。
【請求項４】
前記操作具は、樹脂材料によって前記第１の面と前記第２の面とが一体成形された部材であり、所定方向から視て前記第１の面が露出する第１の開口部と、前記所定方向とは反対方向から見て前記第２の面が露出する第２の開口部とを有し、
前記操作具は、前記第１の面と前記第２の面とを隔てる分割面であって、前記第１の面及び前記分割面に接する第１の立体形状が前記所定方向に移動し、かつ、前記第２の面及び前記分割面に接する第２の立体形状が前記所定方向とは反対方向に移動する際に、前記第１の立体形状と前記第２の立体形状とが干渉しない分割面を規定することが可能な形状である、
ことを特徴とする請求項１乃至３のいずれか１項に記載の画像読取装置。
【請求項５】
前記操作具は、前記押圧部材に対して回動可能な回動部材である、
ことを特徴とする請求項１乃至４のいずれか１項に記載の画像読取装置。
【請求項６】
前記押圧部材は、前記操作具と共に回動し、前記シート搬送部に設けられた被係合部に係合する係合部を有し、
前記操作具の前記第１の面を前記第１方向に押圧する操作により、前記係合部が前記被係合部から離脱し、かつ、前記押圧部材が前記第１方向に回動する、
ことを特徴とする請求項５に記載の画像読取装置。
【請求項７】
前記操作具は、前記押圧部材に当接可能なストッパを有し、前記押圧部材が開いた状態において前記第２の面が前記第２方向の力を受けた場合に、前記ストッパにより回動を規制される、
ことを特徴とする請求項５又は６に記載の画像読取装置。
【請求項８】
前記押圧部材は、前記シート搬送部に設けられた被係合部に係合する係合部を有し、かつ、弾性材料によって形成され、
前記操作具は、前記押圧部材に固定され、
前記操作具の前記第１の面を前記第１方向に押圧する操作により、前記係合部が前記被係合部から離脱し、かつ、前記押圧部材が前記第１方向に回動する、
ことを特徴とする請求項１乃至４のいずれか１項に記載の画像読取装置。
【請求項９】
請求項１乃至８のいずれか１項に記載の画像読取装置と、
前記画像読取装置によって読み取られた画像情報に基づいて、記録材に画像を形成する画像形成手段と、を備える、
ことを特徴とする画像形成装置。
【発明の詳細な説明】
【技術分野】
【０００１】
本発明は、シートから画像情報を読み取る画像読取装置及びこれを備えた画像形成装置に関する。
【背景技術】
【０００２】
従来、画像読取装置として、載置台に載置されたシート（静止原稿）と、原稿搬送装置によって搬送されるシート（移動原稿）との両方から画像情報を読み取ることが可能な構成が知られている。このような画像読取装置は、読取装置本体に対して開閉可能なシート搬送装置を有すると共に、シート搬送装置の下部には、静止原稿を載置台に押圧するための押圧部材が設けられている。
【０００３】
特許文献１には、原稿搬送ユニットと原稿押さえ板とを分離可能とした構成が記載されている。この構成によると、原稿搬送ユニットを読取ユニット（読取装置本体）から開いた状態で、原稿押さえ板のみを読取ユニットに向けて回動させて原稿を原稿台に押圧することで、静止原稿の読み取りが行われる。
【先行技術文献】
【特許文献】
【０００４】
【特許文献１】特開２０００−１６８９８８号公報
【発明の概要】
【発明が解決しようとする課題】
【０００５】
上記文献に記載の構成では、原稿押さえ板に設けられた係合子と、原稿搬送ユニットに設けられた係合孔との係合を解除することで、原稿押さえ板を原稿搬送ユニットから離間させることが可能となる。このとき、自重によって原稿押さえ板が落下すると、原稿台に勢いよく衝突して装置がダメージを受ける可能性があるため、ユーザ側が注意して操作する必要があった。一方、原稿押さえ板の下降速度を抑制するためにフリクションヒンジのような追加構成を設けることはコスト増加につながる。
【０００６】
そこで、本発明は、簡単な構成で、操作性の高い画像読取装置及びこれを備えた画像形成装置を提供することを目的とする。
【課題を解決するための手段】
【０００７】
本発明の一態様は、シートが載置される載置台を有する本体と、シートを搬送するシート搬送部であって、前記本体に支持され、前記本体に対して上方に開くことが可能なシート搬送部と、前記本体に配置され、前記載置台に載置されたシート又は前記シート搬送部によって搬送されるシートから画像情報を読み取る読取手段と、前記シート搬送部により回動可能に支持され、前記載置台に載置されたシートを押圧する押圧部材と、前記押圧部材に設けられ、前記押圧部材と前記シート搬送部との係合を解除可能な操作具と、を備え、前記操作具は、前記シート搬送部に対する前記押圧部材の回動方向において前記シート搬送部から遠ざかる第１方向に押圧可能な第１の面と、前記第１方向とは反対の第２方向に押圧可能な第２の面とを有し、前記第１の面において前記第１方向の力を受けた場合に前記押圧部材と前記シート搬送部との係合を解除し、前記押圧部材が開いた状態において、前記第２の面において前記第２方向の力を受けることで、前記押圧部材の前記第１方向への回動を規制可能である、ことを特徴とする画像読取装置である。
【発明の効果】
【０００８】
本発明によれば、簡単な構成で、操作性の高い画像読取装置及びこれを備えた画像形成装置を提供することができる。
【図面の簡単な説明】
【０００９】
【図１】実施例１に係る画像読取装置の斜視図。
【図２】実施例１に係る画像形成装置の概略図。
【図３】実施例１に係る画像読取装置の斜視図。
【図４】実施例１に係る画像読取装置の模式図。
【図５】実施例１に係る画像読取装置のＡＤＦを下側から見た図。
【図６】図５の一部を拡大した図。
【図７】実施例１に係る原稿押さえ板の操作具の構成を示す断面図。
【図８】実施例１に係る原稿押さえ板の操作具及び解除機構を示す斜視図。
【図９】実施例１に係る原稿押さえ板を示す斜視図。
【図１０】実施例１に係る原稿押さえ板の側面図。
【図１１】変形例に係る原稿押さえ板の操作具の構成を示す断面図。
【図１２】他の変形例に係る原稿押さえ板の操作具の構成を示す側面図。
【図１３】実施例２に係る原稿押さえ板を示す斜視図。
【発明を実施するための形態】
【００１０】
以下、図面を参照しながら、本発明を実施するための形態について説明する。
【実施例１】
【００１１】
［画像形成装置］
図１及び図２に示すように、実施例１に係る画像読取装置１は、画像形成装置１０の一部を構成するものであり、画像形成装置本体３００の上方に配置される。以下、画像形成装置１０の全体構成について説明し、その後、画像読取装置１について説明する。
【００１２】
画像形成装置１０はフルカラーの複合機であり、画像形成装置本体３００は、それぞれ感光ドラム１２を有する４つの画像形成部１１Ｙ、１１Ｍ、１１Ｃ、１１Ｋを備えた電子写真ユニット３０１を有する。画像形成装置本体３００は、画像読取装置１又はネットワークを介して画像形成装置に接続されたホスト機器から入力される画像情報に基づいて記録材に画像を形成する。記録材（及び画像読取装置１において原稿として用いられる媒体）としては、用紙、プラスチックフィルム、布などのシート材が挙げられる。
【００１３】
画像形成装置本体３００が備える４つの画像形成部１１Ｙ、１１Ｍ、１１Ｃ、１１Ｋは、それぞれイエロー、マゼンタ、シアン、ブラックのトナー像を形成する。各画像形成部１１Ｙ〜１１Ｋは、現像色が異なることを除いて実質的に同一の構成を有する。以下、代表して画像形成部１１Ｙについて説明する。
【００１４】
画像形成部１１Ｙには、像担持体として円筒型の感光体、即ち、感光ドラム１２が配設されている。感光ドラム１２は、図中時計回り方向に回転駆動される。感光ドラム１２の周囲には帯電ローラ１３、現像装置１５、一次転写ローラ１６、クリーニング装置１８が配置され、画像形成部１１Ｙ〜１１Ｋの下方にはレーザースキャナ１４が配置されている。また、画像形成装置本体３００の上部には、各画像形成部１１Ｙ〜１１Ｋの現像装置１５にトナーを補給するためのトナー収容容器２６が装着される。
【００１５】
各画像形成部の図１の上方には、中間転写体としての中間転写ベルト１７が配置されている。中間転写ベルト１７は、無端状のベルトであり、複数のローラに張設されて図中反時計回り方向に回転する。中間転写ベルト１７の内周側には、各画像形成部１１Ｙ〜１１Ｋの感光ドラム１２に対向する一次転写ローラ１６が配置され、一次転写部Ｔ１が構成されている。中間転写ベルト１７を張架するローラのうちの二次転写内ローラ２１と中間転写ベルト１７を挟んで対向する位置には、二次転写部Ｔ２を構成する二次転写外ローラ２２が配置される。また、記録材の搬送方向において二次転写部Ｔ２の下流には定着装置２４が配置される。定着装置２４は、定着ローラ２４ａ及びこれに対応する加圧ローラ２４ｂと、ハロゲンランプ等の熱源とを有する。
【００１６】
以下、画像形成装置本体３００が行う画像形成動作について説明する。記録材Ｓは、画像形成装置本体３００の下部に配置されたカセット１９に収容され、給送ローラ１９ａによって１枚ずつレジストレーションローラ２０に向けて給送される。そして、停止状態のレジストレーションローラ２０に記録材Ｓの先端が突き当たり、ループを形成することで記録材Ｓの斜行を補正する。その後、電子写真ユニット３０１によるトナー像の形成プロセスに同期したタイミングで、レジストレーションローラ２０は記録材Ｓを二次転写部Ｔ２に搬送する。
【００１７】
各画像形成部１１Ｙ〜１１Ｋでは、電子写真プロセスによって各色のトナー像が形成される。即ち、感光ドラム１２の表面が帯電ローラ１３によって一様に帯電させられ、レーザースキャナ１４から照射されるレーザ光により露光されることで、ドラム表面に静電潜像が形成される。この静電潜像は、現像装置１５から供給されるトナーによって現像され、トナー像となる。各感光ドラム１２に形成されたトナー像は、一次転写部Ｔ１において中間転写ベルト１７に一次転写される。一次転写後に感光ドラム１２の表面に残ったトナー（転写残トナー）は、クリーニング装置１８によって除去される。
【００１８】
このようなプロセスは各画像形成部１１Ｙ〜１１Ｋにおいて並列的に進められ、中間転写ベルト１７には４色のトナー像が重ねて一次転写され、フルカラーのトナー像が形成される。中間転写ベルト１７に担持されたトナー像は、二次転写部Ｔ２において、記録材Ｓに二次転写される。二次転写部Ｔ２で転写しきれずに中間転写ベルト１７に残留したトナーは、ベルトクリーナ２３により除去される。次いで、記録材Ｓは定着装置２４に搬送され、トナー像が加熱及び加圧される。これにより、トナーは溶融、混合されて、フルカラーの画像として記録材Ｓに定着する。その後、記録材Ｓは排出ローラ２５により排出トレイ２７に排出される。
【００１９】
なお、以上の電子写真ユニット３０１は記録材Ｓに画像を形成する画像形成手段の一例であり、感光体から記録材Ｓにトナー像を直接転写する方式や、インクジェット方式の画像形成ユニット等、他の画像形成手段を用いてもよい。
【００２０】
［画像読取装置］
本実施例の画像読取装置１について、図１及び図２を用いて説明する。図１に示すように、画像読取装置１は、画像読取装置の本体であるスキャナ本体１００と、自動原稿給送装置（Ａｕｔｏ  Ｄｏｃｕｍｅｎｔ  Ｆｅｅｄｅｒ、以下、ＡＤＦとする）２００と、を備える。ＡＤＦ２００は、原稿トレイ２０１に載置された原稿を１枚ずつ給送し、画像情報が読み取られた原稿を排出トレイ２０９に排出する。
【００２１】
図２に示すように、スキャナ本体１００の内部には、画像情報を読み取る第１読取ユニット１９０が配置されている。第１読取ユニット１９０は、ＬＥＤランプ等の光源と、原稿からの反射光を電子信号に変換する光電変換素子と、光源からの光を原稿に照射し、原稿からの反射光を光電変換素子に導く光学系とを備える。第１読取ユニット１９０は、移動可能なキャリッジに取り付けられており、図中左右方向に移動可能である。また、スキャナ本体１００の上部には、プラテンガラス１２０が設けられている。第１読取ユニット１９０は本実施例の読取手段であり、プラテンガラス１２０は本実施例の載置台である。
【００２２】
本実施例のシート搬送部であるＡＤＦ２００は、他の読取手段としての第２読取ユニット２９０と、原稿トレイ２０１に原稿として載置されたシートを給送して搬送する複数の搬送部材とを備える。第２読取ユニット２９０は、第１読取ユニット１９０と同様に、光源、光電変換素子、及び光学系を備え、第１読取ユニット１９０が画像情報の読み取りを行う原稿の第１面とは反対の第２面から画像情報を読み取る。
【００２３】
原稿トレイ２０１に積載された原稿は、給送ローラ２０２ａにより最上位の原稿から繰り出される。繰り出された原稿は、分離ローラ対２０２ｂ，２０２ｃによって他の原稿から分離された状態で搬送される。この原稿は、複数の搬送ローラ対２０３，２０４，２０５，２０６ａによって順に搬送され、第１読取位置に搬送される。第１読取位置は、第１読取ユニット１９０により原稿の第１面が走査される位置であり、スキャナ本体１００に設けられた流し読みガラス１１０と、これに対向するＡＤＦ２００のプラテンローラ２０７ａとの間のギャップを指す。
【００２４】
第１読取位置を通過した原稿は、搬送ローラ対２０６ｂを介して第２読取位置に搬送される。第２読取位置は、第２読取ユニット２９０により原稿の第２面が走査される位置であり、流し読みガラス２１０と、これに対向するプラテンローラ２０７ｂとの間のギャップを指す。第２読取位置を通過した原稿は、搬送ローラ対２０６ｃを介して排出ローラ対２０８に受け渡され、排出ローラ対２０８によって排出トレイ２０９に排出される。
【００２５】
画像読取装置１の動作モードについて説明する。スキャナ本体１００の第１読取ユニット１９０は、プラテンガラス１２０に載置された静止原稿又はＡＤＦ２００によって搬送される移動原稿から画像情報を読み取ることが可能である。静止原稿から画像情報を読み取る動作を「固定読み」とし、ＡＤＦ２００に原稿を搬送させながら移動原稿から画像情報を読み取る動作を「流し読み」とする。
【００２６】
固定読みの場合、静止原稿に対して第１読取ユニット１９０が副走査方向（図２の左右方向）に移動することで原稿が走査される。ＡＤＦ２００には、後述の原稿押さえ板２１１が設けられ、プラテンガラス１２０に載置された原稿を押さえてプラテンガラス１２０に密着させる。流し読みの場合、第１読取ユニット１９０は流し読みガラス１１０の下方位置に位置決めされる。
【００２７】
［原稿押さえ板］
本実施例の押圧部材である原稿押さえ板２１１について詳しく説明する。図３は、ＡＤＦ２００を開いた状態にある画像読取装置１の斜視図であり、図４は、さらに原稿押さえ板２１１を開いた状態を示す模式図である。
【００２８】
図３に示すように、ＡＤＦ２００は、スキャナ本体１００に対してヒンジ部２１２，２１２を介して回動可能に支持されており、スキャナ本体１００から上方に開くことができる。ＡＤＦ２００の前側面を構成する前カバー２１５には、ＡＤＦ２００の開閉操作が可能な把持部２１３が設けられている。
【００２９】
原稿押さえ板２１１は、ＡＤＦ２００の下面に取り付けられている。具体的には、原稿押さえ板２１１は、プラテンガラス１２０に対向する押圧面２１７と、複数の位置に貼り付けられたクッション部材を介して押圧面２１７を支持する原稿押さえフレーム２１４とを有する。ＡＤＦ２００が閉じられたとき、クッション部材の弾発力によって押圧面２１７が原稿をプラテンガラス１２０に押さえつける。
【００３０】
図４に示すように、原稿押さえフレーム２１４はヒンジ部２４０，２４０を介してＡＤＦ２００の筐体２１６に連結されている。ヒンジ部２４０，２４０は、ＡＤＦ２００とスキャナ本体１００との間のヒンジ部２１２と平行に配置され、ヒンジ部２１２と同様に、画像読取装置１の奥側に配置されている。原稿押さえ板２１１は、ヒンジ部２４０，２４０を中心にして図中矢印方向に回動可能である。また、原稿押さえ板２１１は、後述するようにＡＤＦ２００に設けられる被係合部に係合することで回動を規制される。
【００３１】
原稿押さえ板２１１を開いた状態では、ＡＤＦ２００のガイド部材２２６が露出する。ガイド部材２２６は、上述の第１読取位置を通過した原稿をすくい上げてＡＤＦ２００の内部に案内するガイドであり、原稿の幅方向（画像読取装置１の奥行方向）に延びる回動軸を中心にしてＡＤＦ２００の筐体２１６に対して開閉可能である。ガイド部材２２６を図４に示すように開くことで、ＡＤＦ２００の内部で詰まった原稿を容易に取り除くことが可能となる。
【００３２】
図５は、ＡＤＦ２００を下方から視た概略図であり、図６はその一部を拡大した図である。図５及び図６に示すように、原稿押さえ板２１１は、押圧面２１７に対して前側（図５の上方側）に、原稿押さえ板２１１を開閉操作するための操作部２１９を有する。操作部２１９は、作業者が指を用いて操作可能な取っ手２２０と、取っ手２２０の操作によって原稿押さえ板２１１とＡＤＦ２００の筐体２１６との係合を解除可能な後述の解除機構とを含む。取っ手２２０は、本実施例の操作具である。原稿押さえ板２１１が閉じた状態のとき、取っ手２２０は前カバー２１５に形成された凹形状２１５ａに収容される（図６参照）。
【００３３】
図７は、図６の切断面Ｘ−Ｘにおける操作部２１９の断面（ヒンジ部２４０，２４０の軸方向から視た断面）を示している。取っ手２２０は、原稿押さえフレーム２１４により回動可能に保持された回動軸２２２に取り付けられ、回動軸２２２と共に回動する回動部材である。回動軸２２２にはフック２２３が取付けられ、フック２２３は取っ手２２０と共に回動する。フック２２３は、原稿押さえフレーム２１４に固定された円筒状の軸部材２２５に係合可能である。フック２２３が軸部材２２５に係合すると、原稿押さえ板２１１はＡＤＦ２００の筐体２１６に対して開閉できない状態（ロック状態）となる。フック２２３は本実施例の係合部であり、軸部材２２５は本実施例の被係合部である。
【００３４】
図８、図９に示すように、フック２２３は回動軸２２２の両端部に２つ取り付けられている。また、回動軸２２２と原稿押さえフレーム２１４との間には、フック２２３を軸部材２２５との係合を維持するように付勢するバネ２２４が設けられている。
【００３５】
図１０に示すように、取っ手２２０が図中反時計回り方向に回動すると、フック２２３が軸部材２２５から離脱する。これにより、原稿押さえフレーム２１４がＡＤＦ２００の筐体２１６から分離するため、原稿押さえ板２１１を下方に開くことが可能となる。原稿押さえ板２１１を閉じる場合には、原稿押さえフレーム２１４をＡＤＦ２００の筐体２１６に向かって押圧する。すると、フック２２３の斜面２２３ａに軸部材２２５が当接してフック２２３が一時的に回動した後、バネ２２４の付勢力によってフック２２３が軸部材２２５に係合する。
【００３６】
［操作具の形状］
ここで、本実施例に係る取っ手２２０の形状について詳しく説明する。図７に示すように、取っ手２２０は、原稿押さえ板２１１を開く際に操作される操作面２２０ａと、原稿押さえ板２１１が開いた状態において、原稿押さえ板２１１を保持することを可能とする保持面２２０ｂとを有する。操作面２２０ａは、原稿押さえ板２１１が開く場合の回動方向（図中下方。以下、第１方向Ｄ１とする）に押圧可能な本実施例の第１の面である。保持面２２０ｂは、第１方向Ｄ１とは反対の第２方向Ｄ２に押圧可能な本実施例の第２の面である。
【００３７】
ＡＤＦ２００が閉じられ、かつ、原稿押さえ板２１１が閉じられた状態（図７の状態）を基準として、操作面２２０ａは上方を向いて略水平に広がる面であり、保持面２２０ｂは下方を向いて略水平に広がる面である。また、取っ手２２０は、全体として図中下方に開いた凹形状である。保持面２２０ｂは凹形状の底面を構成し、操作面２２０ａは凹形状の回動軸２２２から遠い側の周縁部に位置する。回動軸２２２と操作面２２０ａとの間の距離（凹形状の開口部２２０ｅの幅）は、指の先端を差し込むのに適度な広さとする。また、必要最小限の操作量（取っ手２２０の回動量）で原稿押さえ板２１１を開くことができるように、操作面２２０ａが回動軸２２２に適度に近いことが好ましい。回動軸２２２と操作面２２０ａとの間の距離は、例えば１２〜２０ｍｍの範囲で設定すると好適であり、１６ｍｍ程度とした場合に良好な操作感が得られた。
【００３８】
第１方向Ｄ１に向かって引く力を操作面２２０ａに受けると、取っ手２２０は図中反時計回り方向に回動して、フック２２３は軸部材２２５から離脱する。同時に、回動軸２２２を介して原稿押さえ板２１１が第１方向Ｄ１に引っ張られて、ＡＤＦ２００の筐体２１６から離間する。即ち、取っ手２２０を指で引く単一の動作により、原稿押さえ板２１１のロック解除と開放動作とが実現される。
【００３９】
原稿押さえ板２１１が開いた後、作業者は、操作面２２０ａを操作した指によって保持面２２０ｂを支えることができる。即ち、取っ手２２０が保持面２２０ｂにおいて第２方向Ｄ２の力を受けることで、自重による原稿押さえ板２１１の落下が制限される。なお、ここでは作業者の指が主に保持面２２０ｂを支えることを想定しているが、操作部２１９の他の部位に作用する力が原稿押さえ板２１１を保持することに寄与していても構わない。例えば、作業者の指が、回動軸２２２の下面や操作面２２０ａの反対側の面に当接していた場合、そのような接触部において操作部２１９を上方に押圧する力は、結果として原稿押さえ板２１１を支える力として作用する。
【００４０】
このように、本実施例では、第１の面である操作面２２０ａと、第２の面である保持面２２０ｂとを同一の操作部２１９に設けている。このため、操作面２２０ａを押圧して原稿押さえ板２１１を開いた後、保持面２２０ｂにおいて原稿押さえ板２１１を支える簡単な操作により、開いた原稿押さえ板２１１を自重に抗して保持することが可能となっている。また、ヒンジ部２４０としてフリクションヒンジを使用する等、原稿押さえ板２１１の落下を規制するための構成を追加することなく、開いた原稿押さえ板２１１の保持が可能となる。即ち、本実施例によれば、簡単な構成で、原稿押さえ板２１１の操作性向上を実現することができる。
【００４１】
ここで、取っ手２２０は、回動軸２２２に対して保持面２２０ｂとは反対側に、原稿押さえフレーム２１４に当接可能なストッパ２２０ｄを備えている。ストッパ２２０ｄは、取っ手２２０が原稿押さえフレーム２１４に対して図中時計回り方向に回動することを規制可能である。原稿押さえ板２１１が開いた状態において、ストッパ２２０ｄによって取っ手２２０の回動が規制されることで、取っ手２２０の姿勢が安定し、操作感の向上に寄与する。なお、図８及び図１０に示すように、回動軸２２２に対して保持面２２０ｂと同じ側には、原稿押さえフレーム２１４の凸部２１４ｂと当接して取っ手２２０の下方への回動範囲を規制するストッパ２２１が設けられている。
【００４２】
また、本実施例の取っ手２２０は、樹脂材料によって一体成形された部材であると共に、操作面２２０ａと保持面２２０ｂとの間に、開口部２２０ｃを設けられている。この開口部２２０ｃは、操作部２１９の操作性を低下させることなく、取っ手２２０の製造コスト低減を可能とする。つまり、射出成型等によってプラスチック材料から取っ手２２０を製造する場合において、仮に、開口部２２０ｃが塞がれた形状であるとすると、操作面２２０ａを含む部分がアンダーカットとなって型抜き時にコアをスライドさせる必要が生じる。
【００４３】
一方、本実施例の取っ手２２０は、所定方向（図７の第１方向Ｄ１）から視て操作面２２０ａが露出する第１の開口部２２０ｃと、所定方向とは反対方向（第２方向Ｄ２）から見て保持面２２０ｂが露出する第２の開口部２２０ｅとを有する。そして、取っ手２２０は、操作面２２０ａと保持面２２０ｂとを隔てる分割面Ｐ（図７の破線参照）であって、操作面２２０ａ及び分割面Ｐに接する第１の立体形状が第１方向Ｄ１に移動し、かつ、保持面２２０ｂ及び分割面Ｐに接する第２の立体形状が第２方向Ｄ２に移動する際に、第１の立体形状と第２の立体形状とが干渉しない分割面Ｐを少なくとも１つ規定することが可能な形状とする。従って、一方の金型に第１の立体形状を有するコア（Ａ）を設け、他方の金型に第２の立体形状を有するコア（Ｂ）を設けると共に、開口部２２０ｃ，２２０ｅを介してコア（Ａ）、（Ｂ）の型抜きを行えばよい。
【００４４】
このような構成により、コアのスライド等のアンダーカット処理を行うことなく取っ手２２０を製造することが可能となる。試作品を用いた検討の結果、開口部２２０ｃの幅を８ｍｍ以下とすることで、作業者の指先端の嵌まり込みを抑制し、良好な操作感を得ることができた。
【００４５】
なお、上記実施例１では開口部２２０ｃを有する取っ手２２０について説明したが、図１１に示すように、開口部２２０ｃに相当する部分が塞がれた取っ手２２０Ｂを用いても構わない。ただし、図１１に示す変形例は、開口部が塞がれている点以外は実施例１と同様の構成であり、実施例１と同様の構成及び作用を有する要素には実施例１と共通の符号を付している。
【００４６】
また、図１２に示すように、取っ手２２０Ｃの回動方向を本実施例で説明したものとは反対方向にしてもよい。取っ手２２０Ｃは、回動軸２２２に対して原稿押さえ板２１１の回動中心であるヒンジ部２４０に近い側（図中右側）に延び、図中時計回り方向に操作されることで、フック２２３が軸部材２２５から離脱する。この場合も、取っ手２２０Ｃに実施例１で説明した操作面及び保持面を図中左右方向に位置を反転させた状態で配置することにより、実施例１と同様の効果を得ることができる。
【実施例２】
【００４７】
図１３は、実施例２に係る原稿押さえ板２１１Ｂを示す斜視図である。本実施例の取っ手２２０Ｄ及び本実施例の係合部であるフック２２３Ｂは、実施例１とは異なり、原稿押さえフレーム２１４に固定されている。例えば、取っ手２２０Ｄ及びフック２２３Ｂは、弾性材料によって原稿押さえフレーム２１４と一体成形される。
【００４８】
取っ手２２０Ｄの形状は、実施例１の取っ手２２０と同一であるものとする。この場合、取っ手２２０Ｄの操作面を図中下方に押圧することにより、構成材料の弾性変形によってフック２２３Ｂ，２２３Ｂが図中矢印方向に変位し、ＡＤＦ２００の筐体に設けられた被係合部から離脱する。
【００４９】
このような構成によっても、第１の面である操作面と第２の面である保持面とを同一の操作部２１９に設けることにより、保持面において原稿押さえ板２１１を支える簡単な操作により原稿押さえ板２１１の落下を防ぐことが可能となる。
【００５０】
（その他の実施形態）
上記実施例１，２では、画像形成装置本体３００の上部に設置された画像読取装置１について説明したが、画像形成装置１０とは独立した画像読取装置に本技術を適用してもよい。
【００５１】
また、上記実施例１，２では、原稿押さえ板２１１を開放可能とすることでＡＤＦ２００の内部で詰まったシートを除去する場合について説明したが、ＡＤＦ２００を開いた状態で固定読みを実行可能とする構成としてもよい。即ち、ＡＤＦ２００を開いた状態で、原稿押さえ板２１１を開いて原稿をプラテンガラス１２０に押圧できるようにしてもよい。
【符号の説明】
【００５２】
１…画像読取装置／１０…画像形成装置／１００…本体（スキャナ本体）／１２０…載置台（プラテンガラス）／１９０…読取手段（第１読取ユニット）／２００…シート搬送部（ＡＤＦ）／２１１…押圧部材（原稿押さえ板）／２２０，２２０Ｂ，２２０Ｃ…操作具、回動部材（取っ手）／２２０Ｄ…操作具（取っ手）／２２０ａ…第１の面（操作面）／２２０ｂ…第２の面（保持面）／２２０ｃ…第１の開口部（開口部）／２２０ｄ…ストッパ／２２０ｅ…第２の開口部（開口部）／２２３，２２３Ｂ…係合部（フック）／２２５…被係合部（軸部材）／３０１…画像形成手段（電子写真ユニット）／Ｄ１…第１方向／Ｄ２…第２方向
【図１】
2020005099.tif 000003
【図２】
2020005099.tif 000004
【図３】
2020005099.tif 000005
【図４】
2020005099.tif 000006
【図５】
2020005099.tif 000007
【図６】
2020005099.tif 000008
【図７】
2020005099.tif 000009
【図８】
2020005099.tif 000010
【図９】
2020005099.tif 000011
【図１０】
2020005099.tif 000012
【図１１】
2020005099.tif 000013
【図１２】
2020005099.tif 000014
【図１３】
2020005099.tif 000015